【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
切換え式分岐形イオンガイドであって、
トランクセクション、第１の分岐セクション、第２の分岐セクション、及び前記トランクセクションと前記第１及び前記第２の分岐セクションを連結する接合部を有し、前記トランクセクション、前記第１の分岐セクション、及び前記第２の分岐セクションの各々は、高周波電圧の互いに逆の位相が印加される少なくとも２つの電極対を有し、
前記接合部のところに位置決めされた弁部材を有し、前記弁部材は、前記トランクセクション及び前記第１の分岐セクションの内容積部相互間におけるイオンの移動を可能にするが前記トランクセクション及び前記第２の分岐セクションの内容積部相互間におけるイオンの移動を阻止する第１の位置と、前記トランクセクション及び前記第２の分岐セクションの内容積部相互間におけるイオンの移動を可能にするが前記トランクセクション及び前記第１の分岐セクションの内容積部相互間によるイオンの移動を阻止する第２の位置との間で動くことができる、イオンガイド。
【請求項２】
前記弁部材は、ピボット点回りに回転可能なアームを有する、請求項１記載のイオンガイド。
【請求項３】
前記弁部材は、多数のチャネルを備えた摺動可能なブロックを有する、請求項１記載のイオンガイド。
【請求項４】
イオンは、前記トランクセクションの前記内容積部から前記第１及び前記第２の分岐セクションのうちの選択された一方のセクションの内容積部に移る、請求項１記載のイオンガイド。
【請求項５】
イオンは、前記第１及び前記２の分岐セクションのうちの選択された一方のセクションの内容積部から前記トランクセクションの前記内容積部に移る、請求項１記載のイオンガイド。
【請求項６】
前記弁部材は、前記トランクセクションの前記内容積部と、前記第１の分岐セクションと前記第２の分岐セクションの両方の前記内容積部との間におけるイオンの移動を可能にする第３の位置まで動くことができる、請求項１記載のイオンガイド。
【請求項７】
前記第１の分岐セクション、前記第２の分岐セクション、前記トランクセクション、及び前記接合部は、全体として互いに平行であり且つ互いに間隔を置いた関係をなして配置された第１及び第２のＹ字形平面電極と、全体として前記Ｙ字形電極に直角に差し向けられた複数の平面側電極とで構成されている、請求項１記載のイオンガイド。
【請求項８】
前記弁部材は、ピボット点回りに回転可能なアームを有し、前記アームは、対応関係をなす前記側電極に実質的に適合している曲率を備えた互いに向かい合う弧状面を有する、請求項７記載のイオンガイド。
【請求項９】
前記弁部材は、電気機械式アクチュエータによって制御可能に位置決めされる、請求項１記載のイオンガイド。
【請求項１０】
前記第３の分岐セクションを更に有し、前記弁部材は、前記トランクセクションと前記第３の分岐セクションとの間におけるイオンの移動を可能にする第３の位置まで動くことができる、請求項１記載のイオンガイド。
【請求項１１】
質量分析システムであって、
イオン源を有し、
前記イオン源からイオンを受け取るよう構成されたトランクセクションを備える切換え式分岐形イオンガイドを有し、前記イオンガイドは、第１の分岐セクション、第２の分岐セクション、及び前記トランクセクションと前記第１及び前記第２の分岐セクションを連結する接合部を有し、前記トランクセクション、前記第１の分岐セクション、及び前記第２の分岐セクションの各々は、高周波電圧の互いに逆の位相が印加される少なくとも２つの電極対を有し、
前記接合部のところに位置決めされた弁部材を有し、前記弁部材は、前記トランクセクションの内容積部から前記第１の分岐セクションの内容積部へのイオンの移動を可能にするが前記トランクセクションの内容積部から前記第２の分岐セクションの内容積部へのイオンの移動を阻止する第１の位置と、前記トランクセクションの内容積部から前記第２の分岐セクションの内容積部へのイオンの移動を可能にするが前記トランクセクションの内容積部から前記第１の分岐セクションの内容積部へのイオンの移動を阻止する第２の位置との間で動くことができ、
前記第１及び前記第２の分岐セクションからイオンをそれぞれ受け取るよう構成された第１及び第２の質量分析器を有する、質量分析システム。
【手続補正２】
【補正対象書類名】明細書
【補正対象項目名】００２１
【補正方法】変更
【補正の内容】
【００２１】
本明細書において説明した実施形態は、本発明の例示である。図面を参照して本発明の３つの実施形態を説明したが、説明した方法及び（又は）特定の構造の種々の改造又は変更は当業者には明らかであろう。本発明の教示を利用する、また、本発明の教示の利用により技術進歩をもたらす全てのかかる改造例、変更例又は変形例は、本発明の精神及び範囲に属すると考えられる。それ故、上述の説明及び図面は、本発明を限定する意味に解されてはならない。というのは、言うまでもなく、本発明は、開示した実施形態だけに何ら限定されないからである。
以下に本発明の実施態様を記載する。
［態様１］切換え式分岐形イオンガイドであって、
トランクセクション、第１の分岐セクション、第２の分岐セクション、及び前記トランクセクションと前記第１及び前記第２の分岐セクションを連結する接合部を有し、前記トランクセクション、前記第１の分岐セクション、及び前記第２の分岐セクションの各々は、高周波電圧の互いに逆の位相が印加される少なくとも２つの電極対を有し、
前記接合部のところに位置決めされた弁部材を有し、前記弁部材は、前記トランクセクション及び前記第１の分岐セクションの内容積部相互間におけるイオンの移動を可能にするが前記トランクセクション及び前記第２の分岐セクションの内容積部相互間におけるイオンの移動を阻止する第１の位置と、前記トランクセクション及び前記第２の分岐セクションの内容積部相互間におけるイオンの移動を可能にするが前記トランクセクション及び前記第１の分岐セクションの内容積部相互間によるイオンの移動を阻止する第２の位置との間で動くことができる、イオンガイド。
［態様２］前記弁部材は、ピボット点回りに回転可能なアームを有する、態様１記載のイオンガイド。
［態様３］前記弁部材は、多数のチャネルを備えた摺動可能なブロックを有する、態様１記載のイオンガイド。
［態様４］イオンは、前記トランクセクションの前記内容積部から前記第１及び前記第２の分岐セクションのうちの選択された一方のセクションの内容積部に移る、態様１記載のイオンガイド。
［態様５］イオンは、前記第１及び前記２の分岐セクションのうちの選択された一方のセクションの内容積部から前記トランクセクションの前記内容積部に移る、態様１記載のイオンガイド。
［態様６］前記弁部材は、前記トランクセクションの前記内容積部と、前記第１の分岐セクションと前記第２の分岐セクションの両方の前記内容積部との間におけるイオンの移動を可能にする第３の位置まで動くことができる、態様１記載のイオンガイド。
［態様７］前記第１の分岐セクション、前記第２の分岐セクション、前記トランクセクション、及び前記接合部は、全体として互いに平行であり且つ互いに間隔を置いた関係をなして配置された第１及び第２のＹ字形平面電極と、全体として前記Ｙ字形電極に直角に差し向けられた複数の平面側電極とで構成されている、態様１記載のイオンガイド。
［態様８］前記弁部材は、ピボット点回りに回転可能なアームを有し、前記アームは、対応関係をなす前記側電極に実質的に適合している曲率を備えた互いに向かい合う弧状面を有する、態様７記載のイオンガイド。
［態様９］前記弁部材は、電気機械式アクチュエータによって制御可能に位置決めされる、態様１記載のイオンガイド。
［態様１０］前記第３の分岐セクションを更に有し、前記弁部材は、前記トランクセクションと前記第３の分岐セクションとの間におけるイオンの移動を可能にする第３の位置まで動くことができる、態様１記載のイオンガイド。
［態様１１］質量分析システムであって、
イオン源を有し、
前記イオン源からイオンを受け取るよう構成されたトランクセクションを備える切換え式分岐形イオンガイドを有し、前記イオンガイドは、第１の分岐セクション、第２の分岐セクション、及び前記トランクセクションと前記第１及び前記第２の分岐セクションを連結する接合部を有し、前記トランクセクション、前記第１の分岐セクション、及び前記第２の分岐セクションの各々は、高周波電圧の互いに逆の位相が印加される少なくとも２つの電極対を有し、
前記接合部のところに位置決めされた弁部材を有し、前記弁部材は、前記トランクセクションの内容積部から前記第１の分岐セクションの内容積部へのイオンの移動を可能にするが前記トランクセクションの内容積部から前記第２の分岐セクションの内容積部へのイオンの移動を阻止する第１の位置と、前記トランクセクションの内容積部から前記第２の分岐セクションの内容積部へのイオンの移動を可能にするが前記トランクセクションの内容積部から前記第１の分岐セクションの内容積部へのイオンの移動を阻止する第２の位置との間で動くことができ、
前記第１及び前記第２の分岐セクションからイオンをそれぞれ受け取るよう構成された第１及び第２の質量分析器を有する、質量分析システム。
［態様１２］前記第１の質量分析器と前記第２の質量分析器は、互いに異なる形式のものである、態様１１記載の質量分析システム。
［態様１３］前記弁部材は、ピボット点回りに回転可能なアームを有する、態様１１記載の質量分析システム。
［態様１４］前記第１の分岐セクション、前記第２の分岐セクション、前記トランクセクション、及び前記接合部は、全体として互いに平行であり且つ互いに間隔を置いた関係をなして配置された第１及び第２のＹ字形平面電極と、全体として前記Ｙ字形電極に直角に差し向けられた複数の平面側電極とで構成されている、態様１１記載の質量分析システム。
［態様１５］前記弁部材は、前記トランクセクションの前記内容積部から前記第１の分岐セクションと前記第２の分岐セクションの両方の前記内容積部へのイオンの移動を可能にする第３の位置まで動くことができる、態様１１記載の質量分析システム。
［態様１６］質量分析システムであって、
第１及び第２のイオン源を有し、
前記第１及び前記第２のイオン源からイオンを受け取るようそれぞれ構成されている第１及び第２の分岐セクションを備えた切換え式分岐形イオンガイドを有し、前記イオンガイドは、トランクセクション及び前記トランクセクションと前記第１及び前記第２の分岐セクションを連結する接合部を更に有し、前記トランクセクション、前記第１の分岐セクション、及び前記第２の分岐セクションの各々は、高周波電圧の互いに逆の位相が印加される少なくとも２つの電極対を有し、
前記接合部のところに位置決めされた弁部材を有し、前記弁部材は、前記第１の分岐セクションの内容積部から前記トランクセクションの内容積部へのイオンの移動を可能にするが前記第２の分岐セクションの内容積部から前記トランクセクションの内容積部へのイオンの移動を阻止する第１の位置と、前記第２の分岐セクションの内容積部から前記トランクセクションの内容積部へのイオンの移動を可能にするが前記第１の分岐セクションの内容積部から前記トランクセクションの内容積部へのイオンの移動を阻止する第２の位置との間で動くことができ、
前記トランクセクションからイオンを受け取るよう構成された質量分析器を有する、質量分析システム。
［態様１７］前記第１のイオン源と前記第２のイオン源は、互いに異なる形式のものである、態様１６記載の質量分析システム。
［態様１８］前記弁部材は、ピボット点回りに回転可能なアームを有する、態様１６記載の質量分析システム。
［態様１９］前記第１の分岐セクション、前記第２の分岐セクション、前記トランクセクション、及び前記接合部は、全体として互いに平行であり且つ互いに間隔を置いた関係をなして配置された第１及び第２のＹ字形平面電極と、全体として前記Ｙ字形電極に直角に差し向けられた複数の平面側電極とで構成されている、態様１６記載の質量分析システム。
［態様２０］前記弁部材は、前記第１の分岐セクションと前記第２の分岐セクションの両方の前記内容積部から前記トランクセクションの前記内容積部へのイオンの移動を可能にする第３の位置まで動くことができる、態様１６記載の質量分析システム。
［態様２１］前記イオンの冷却又は分解を可能にするために不活性又は反応性ガスが前記イオンガイドの前記内容積部に添加される、態様１記載のイオンガイド。
［態様２２］前記イオンガイドを通るイオンを推進するのを助ける軸方向ＤＣ電界を発生させる手段を更に有する、態様１記載のイオンガイド。